(57)【要約】【課題】床スラブに設置する束を、不陸や段差が生じている床パネルに配置された場合でもこの不陸や段差を吸収でき、長期間使用しても緩むことがないように構成する。床下地パネルに断熱性或いは遮音性を付与する。【解決手段】束Ａは、床材１１を支持する支持部材１と、支持部材１の高さを調整する調整部材２と、調整部材の下端側を保持し且つ倒れを許容するベース部材３とを有する。支持部材１はねじ１ｃを形成した筒体１ｂを有し、調整部材２はねじ２ｂが形成され端面２ａに係合溝２ｄが形成されベース部材３に回転可能に構成される。床下地材Ｂは、床下地材１１に形成された各孔１１ａに束Ａを取り付け、束を取り付けた面に断熱材２１、又は遮音材を取り付ける。【選択図】             図１
2007031933.tif 000002
【特許請求の範囲】
【請求項１】
床材を支持する束であって、床材を支持する支持部材と、床面に載置されるベース部材と、前記支持部材の高さを調整すると共に前記ベース部材に保持され且つベース部材の水平面からの傾きを許容し得るように構成された調整部材と、を有することを特徴とする束。
【請求項２】
前記支持部材は内面に雌ねじを形成した筒体を有し、且つ前記調整部材は一方の端部側に支持部材に形成された雌ねじに螺合する雄ねじが形成されると共に端面に調整部材を回転させる駆動工具を係合させる係合溝が形成され更に前記ベース部材に対し回転可能に構成されていることを特徴とする請求項１に記載した束。
【請求項３】
前記支持部材が有する筒体は、調整部材を螺合させると共に、端面に回転させる駆動工具を係合させる係合溝が形成されたねじを螺合させ得るように構成されていることを特徴とする請求項２に記載した束。
【請求項４】
矩形の板材からなり所定位置に少なくとも４個の孔が形成された床下地材と、少なくとも４個の請求項２又は３に記載した束と、を有し、前記床下地材に形成された各孔に支持部材を固定して束を取り付け、且つ前記床下地材の束を取り付けた面に断熱材を取り付けたことを特徴とする断熱床下地パネル。
【請求項５】
矩形の板材からなり所定位置に少なくとも４個の孔が形成された床下地材と、少なくとも４個の請求項２又は３に記載した束と、を有し、前記床下地材に形成された各孔に支持部材を固定して束を取り付け、且つ前記床下地材の束を取り付けた面に遮音材を取り付けたことを特徴とする遮音床下地パネル。
【発明の詳細な説明】
【技術分野】
【０００１】
本発明は、床スラブの上に床を構成する際に、床スラブに不陸や段差が生じている場合でもこの不陸や段差を吸収することができる束と、この束を利用した床下地パネルとに関するものである。
【背景技術】
【０００２】
鉄骨造やＲＣ（鉄筋コンクリート）造の住宅では、ＡＬＣ（軽量気泡コンクリート）パネル等の床パネルや現場打設のコンクリートによって床スラブが設けられ、この床スラブ上に居住空間の床が構成される。
【０００３】
１階の床やピロティの上階の床のように床スラブの下面が外気に曝される部位にある場合、床スラブの上面に断熱材を敷設し、この断熱材の上部に床を構成することが好ましい。しかし、床面に設置される什器の荷重や、居住者の歩行時の衝撃が床（床下地材及び床仕上材）を介して断熱材に伝達され、経時的に断熱材に潰れや圧壊が生じるという問題がある。このため、床スラブと床との間に設置される断熱材に力を作用させることのない構造として、床スラブに束を立て、該束を介して床に作用する荷重や衝撃を床スラブに伝えるように構成するのが一般的である。この場合、束の高さが大きいと床スラブと床との間に断熱に寄与することのない無駄な空間が形成され、床上に構成される居住空間の天井高が低くならざるを得ないという問題を生じる虞がある。
【０００４】
一方、現場での加工や組立作業の締める割合の大きな建築工事に於いては、工場生産品のような部材精度を求めることは困難であり、床スラブに於いても不陸や段差が生じることがある。床スラブの不陸や段差を吸収するための技術として、例えば特許文献１のように、ねじによって高さを調整し得るように構成した束（床板支持装置）が開発されている。この床板支持装置は、床スラブ上に設置されるベース板と、このベース板に立設され、上部に螺孔を有する支持パイプと、前記支持パイプに螺合される支持ボルトと、この支持ボルトの上部に螺合し、外周部に鍔部が形成され、また上端部に工具係合部を有する筒状の長ナットと、この長ナットに回転可能に挿通されると共に、下面部が前記鍔部の上面部に摺接され、上面部には床ボードが載置される受プレートと、前記鍔部の下面部に摺接され、周辺部が前記受プレートに結合される保持板と、を有して構成されている。
【０００５】
また特許文献２には、床スラブ上に設置する床を支持する束ではないが、壁から離れて起立する前面パネルを壁に取り付ける取付具が記載されている。この取付具は、壁と前面パネルに夫々右ねじ、左ねじを有する自在継手を取り付けると共に、これらのねじをターンバックル状の中間部材で連結して構成したものである。この取付具では、壁に凹凸があったり、取付位置が不正確であっても前面パネルを容易に取り付けることができるという効果を有する。
【０００６】
【特許文献１】特開２００２−１７４０２２号公報
【特許文献２】実公平６−１９４３号公報
【発明の開示】
【発明が解決しようとする課題】
【０００７】
しかし、特許文献１の技術は、ねじによる高さ調整機能を有するものの、フランジが床スラブの段差部に跨がって配置されたり、床スラブのフランジとの接触部分が水平面を形成していなかったりすると、束が床スラブに対して安定して接触しなかったり、束が倒れた状態で床を支持するなどして、束による床の支持が不安定になるという問題が生じる。また、前記の如く構成された束によって床を支持した場合、該束に長期間にわたって作用する繰り返し荷重によってねじに緩みが生じて高さが変化してしまう虞がある。
【０００８】
また、特許文献２の技術は不陸や段差の調整に示唆するものはあるが、本技術を床の支持に適用する場合、荷重が作用する床を支持し得る安定構造とするためには自在継手のフランジ部材とカバーとを結ぶボルトを締結しなければならず、作業が煩雑になるという問題や床スラブと床との間にボルトの締結作業のための空間を確保すると天井高が確保し難くなるという問題がある。
【０００９】
本発明の目的は、不陸や段差が生じている床パネルに配置された場合でもこの不陸や段差を安定した状態で吸収することができ、且つ長期間にわたって繰り返し荷重が作用した場合でも緩みが生じない束と、板材に前記束と取り付けると共に断熱材又は遮音材を取り付けた床下地パネルを提供することにある。
【課題を解決するための手段】
【００１０】
上記課題を解決するために本発明に係る束は、床材を支持する束であって、床材を支持する支持部材と、床面に載置されるベース部材と、前記支持部材の高さを調整すると共に前記ベース部材に保持され且つベース部材の水平面からの傾きを許容し得るように構成された調整部材と、を有して構成されたものである。
【００１１】
上記束に於いて、支持部材は内面に雌ねじを形成した筒体を有し、且つ前記調整部材は一方の端部側に支持部材に形成された雌ねじに螺合する雄ねじが形成されると共に端面に調整部材を回転させる駆動工具を係合させる係合溝が形成され更にベース部材に対し回転可能に構成されていることが好ましい。
【００１２】
また上記束に於いて、支持部材が有する筒体は、調整部材を螺合させると共に、端面に回転させる駆動工具を係合させる係合溝が形成されたねじを螺合させ得るように構成されていることがより好ましい。
【００１３】
また本発明に係る床下地パネルは、矩形の板材からなり所定位置に少なくとも４個の孔が形成された床下地材と、少なくとも４個の上記何れかの束と、を有し、前記床下地材に形成された各孔に支持部材を固定して束を取り付け、且つ前記床下地材の束を取り付けた面に断熱材、又は遮音材を取り付けたものである。
【発明の効果】
【００１４】
本発明に係る束では、調整部材がベース部材の傾きを許容し得るように構成されているので、束を床スラブに設置し、支持部材で床材を支持した際に、ベース部材が床スラブの不陸部や段差部に接触していたとしても、該ベース部材は、床スラブの状態に対応して回動し安定した状態での接触を維持することが可能であり、該調整部材を垂直に保持することができる。従って、床材を所定の支持状態に保ち安定した支持を実現することができる。
【００１５】
上記束を構成する支持部材に雌ねじを形成した筒体を設け、調整部材に雄ねじを形成すると共に端面に係合溝を形成することによって、支持部材を床材に固定して調整部材を螺合し、調整部材の端面に形成した係合溝に駆動工具を係合させて駆動することで、調整部材を回転させて支持部材の高さを調整することができる。従って、束の高さ調整作業が容易になる。また、床スラブと床との間に調整作業のためだけの無駄な空間を確保する必要がない。
【００１６】
また上記支持部材に設けた筒体が、調整部材を螺合させると共に端面に係合溝を形成したねじを螺合させ得るように構成されることで、調整部材による支持部材の高さの調整が終了した後、ねじを螺合させて締結することによって、調整部材の緩みを防止することができる。このため、長期間にわたって利用した場合に束に繰り返し荷重が作用しても、調整部材の緩みが生じることがない。
【００１７】
本発明に係る床下地パネルでは、矩形の板材の下面に所定の高さに設定された複数の上記した何れかの束と断熱材又は遮音材を予め取り付けたことによって、現場での床下地材の穿孔作業、束の取付作業、断熱材又は遮音材の充填作業を省くことができると共に、現場では不陸や段差を形成している床下地パネルの調整部材を床下地パネル上面から操作するだけで容易に高さや水平度を調整することができる。
【発明を実施するための最良の形態】
【００１８】
以下、本発明に係る束の最良の形態、及び床下地パネルの最良の形態について説明する。本発明に係る束は、床スラブの上部に居室の床を構成する際に、床材を支持すると共に該床材の高さや水平度を調整することが可能で、更に、床スラブに生じている不陸や段差を吸収して安定した状態で床材を支持し得るように構成したものである。また床下地パネルは、矩形の板材の一方の面に複数の本発明に係る束を取り付けると共に同じ面に断熱材、又は遮音材を取り付けることで、該床下地材を床スラブの上部に配置して板材の高さや水平度を調整することによって、床スラブと板材との間に断熱材、又は遮音材を充填して、断熱性を持った床、又は遮音性を持った床を実現し得るようにしたものである。
【００１９】
本発明の束は、床材を支持する支持部材と、支持部材の高さを調整する調整部材と、調整部材の下端を保持して該調整部材の倒れを許容するベース部材と、を有して構成される。このため、調整部材とベース部材との相対的な倒れ（傾き）を許容することが可能となり、ベース部材を不陸が生じている床スラブ、或いは段差が生じている床スラブに設置したとき、ベース部材の少なくとも２点を床スラブに接触させて安定させることが可能であり、且つ不陸や段差に伴うベース部材の傾きに関わらず調整部材を略垂直に設定することが可能である。
【００２０】
従って、本発明の束では、床スラブに生じている不陸や段差を吸収することが可能であり、且つ調整部材を操作することで床材の高さや水平度を調整することが可能である。本発明に於いて、束の高さは小さいことが好ましく、高さを小さくすることによって、床スラブと床材との間隔を小さくして、床材の上部に形成される居室の天井高を確保して居住性を向上させることが可能となる。
【００２１】
本発明に於いて、調整部材は支持部材の高さ（支持部材のベース部材からの距離）を調整する機能を有するものであり、この機能を発揮し得るものであれば利用することが可能である。このような機能を発揮し得る機能としてはトグル機構やねじ機構があり、何れも好ましく利用することが可能である。また調整部材を操作する場合、床材の下側でのみ操作し得るような機構は好ましくはなく、床材の上面側から操作し得るような機構であることが好ましい。
【実施例１】
【００２２】
本実施例に係る束について図を用いて説明する。図１は束の構成を説明する図である。図に於いて、束Ａは床材１１を支持する支持部材１と、支持部材１の高さを調整する調整部材２と、床スラブ１２の上面に載置され調整部材２の倒れを許容するベース部材３と、を有して構成されている。
【００２３】
本実施例に於いて、調整部材２による支持部材１の高さの調整はねじ機構によって行うように構成されている。即ち、支持部材１と調整部材２をねじ結合させると共に調整部材２をベース部材１に対して回転可能に構成し、調整部材２を回転操作することによって支持部材１の高さを調整し得るように構成している。またベース部材３による調整部材２の倒れを許容する構造は両者を球面を介して当接させることで行うように構成されている。
【００２４】
支持部材１は、フランジ１ａと、該フランジ１ａと一体的に構成された筒体１ｂと、フランジ１ａ，筒体１ｂを貫通して形成されたねじ１ｃと、を有して構成されている。支持部材１は、フランジ１ａを床材１１の下面１１ｂに当接させて該床材１１を支持し得るように構成されている。このため、フランジ１ａは単に床材１１の下面１１ｂに当接していれば良い。
【００２５】
本実施例では、ねじ１ｃに調整部材２を螺合させると共に回転させることで支持部材１の高さを調整し得るように構成されている。このため、共廻りを防ぐために支持部材１を床材１１に固定することが必要であり、フランジ１ａを図示しないねじによって床材１１に固定するか、筒体１ｂを床材１１の穴１１ａに圧入することで固定するように構成することが好ましい。
【００２６】
支持部材１の筒体１ｂはフランジ１ａの一方の面側に形成されており、フランジ１ａによって床材１１を支持する際に、筒体１ｂを床材１１に形成された穴１１ａに挿入し得るように構成されている。筒体１ｂの長さは床材１１の厚さと略等しい程度であることが好ましい。筒体１ｂを床材１１の厚さと略等しく構成することによって、該筒体１ｂを床材１１の穴１１ａに挿入して納めることが可能となり、床材１１と床パネル１２との間に形成される空間１３の高さを可及的に小さくすることが可能である。しかし、フランジ１ａと筒体１ｂとの位置関係は、本実施例の構成に限定するものではなく、筒部１ｂがフランジ１ａの両側面に突出するように構成されていても良い。
【００２７】
調整部材２はねじ棒状に構成されており、支持部材１に螺合したとき、該支持部材１の筒体１ｂのねじ１ｃの上方から回転操作し得るように構成されている。調整部材２の長さは、床材１１と床スラブ１２との間に形成される空間１３の寸法に影響する。このため、予め前記空間１３の機能に応じた許容寸法を設定しておき、この許容寸法に対応させた長さで構成することが好ましい。また調整部材２は、支持部材１を介して伝えられる床材１１の荷重をベース部材３に伝えるものであり、作用する荷重に対し充分な強度を持って構成されている。
【００２８】
調整部材２には、上端面２ａ側から所定の長さ範囲に支持部材１に形成されたねじ１ｃと同一仕様のねじ２ｂが形成されており、下端側の端面２ｃは略球面状に形成されている。上端面２ａには調整部材２を回転駆動する駆動工具を係合させる係合溝２ｄが形成されている。この係合溝２ｄの形状は駆動工具の構造に対応しており、例えば駆動工具がプラス或いはマイナスのドライバである場合、係合溝２ｄの形状はプラス，マイナス溝として構成される。また駆動工具が六角レンチである場合、係合溝２ｄは六角穴として形成される。更に、下端側の端面２ｃの近傍には全周にわたって溝２ｅが形成されている。
【００２９】
ベース部材３は調整部材２の倒れを許容し得るように構成され、床スラブ１２に設置されて調整部材２から伝えられた床材１１に作用する荷重を床スラブ１２に伝えるものである。またベース部材３は、床スラブ１２に生じた段差部に設置され、底面全体が床スラブ１２に接触していないような状態でも、作用する荷重を確実に床スラブ１２に伝えることが可能なように充分な剛性と強度を有している。
【００３０】
ベース部材３は、本体３ａと、板状の規制部材３ｂとを有して構成されている。本体３ａの中心には調整部材２の端面２ｃと当接して受け入れる球面座３ｃが形成されており、この球面座３ｃに調整部材２の端面２ｃが当接することで、調整部材２に作用している荷重をベース部材３に伝えることが可能である。また球面座３ｃに調整部材２の端面２ｃが当接して滑り接触することで、調整部材２はベース部材３に回転可能に支持されている。
【００３１】
規制部材３ｂは板状の部材からなり、本体３ａに図示しないねじによって固定されることで、中心に調整部材２に設けた溝２ｅに嵌入する穴３ｄが形成される。穴３ｄは調整部材２の溝２ｅに対して遊びを持っており、この遊びの範囲でベース部材３に対する調整部材２の倒れを許容することが可能である。ベース部材３の穴３ｄと、調整部材２の溝２ｅとの寸法関係は特に限定するものではなく、許容すべき倒れ角度や、調整部材２の長さ等種々の条件に応じて適宜設定することが好ましい。
【００３２】
従って、支持部材１の筒体１ｂを床材１１の穴１１ａに挿入すると共にフランジ１ａを下面１１ｂに固定し、該支持部材１のねじ１ｃに調整部材２のねじ２ｂを螺合させた状態でベース部材３を床スラブ１２に設置したとき、床スラブ１２に不陸や段差が生じている場合、該不陸や段差に関わらずベース部材３は床スラブ１２に載置される。このときベース部材３に傾きが生じた場合、この傾きに関わらす調整部材２は垂直性を保持することが可能であり、且つ床材１１の穴１１ａから除く係合溝２ｄに駆動工具を係合させて所望の方向に回転させることで、支持部材１の床スラブ１２からの高さを調整することが可能である。
【００３３】
尚、本実施例では、ベース部材３に調整部材２の回転を可能に且つ倒れを許容するために球面座３ｃと球面状の端面２ｃとを接触させた構造としたが、この構造にのみ限定するものではなく、例えば、ベース部材３の球面座３ｃ部分を自動調芯式の軸受構造とし、調整部材の下端部分を前記自動調芯式軸受構造を満足し得る形状としても良いことは当然である。
【００３４】
上記の如くして支持部材１の床スラブ１２からの高さ（床材１１の床スラブ１２からの高さ）を調整した後、支持部材１のねじ１ｃに止めねじ４を締結することで、支持部材１に対する調整部材２の緩みを防止することが好ましい。
【００３５】
止めねじ４は外周の全長にわたってねじ１ｃと同一仕様のねじ４ａが形成されており、上端面には止めねじ４を回転させる駆動工具を係合する係合溝４ｂが形成され、下端面４ｃは調整部材２の上端面２ａを押圧し得るように構成されている。従って、支持部材１のねじ１ｃに止めねじ４を螺合させて締結すると、下端面４ｃが調整部材２の上端面２ａに軸方向の力を作用させ、ねじ２ｂとねじ１ｃを圧接させることで、調整部材２と支持部材１とに緩みを生じさせることがない。
【００３６】
束Ａを構成する支持部材１、調整部材２、ベース部材４、止めネジ４の材質は特に限定するものではなく、支持する床材１１から伝えられる荷重に対し充分な強度を発揮し得るものであれば良い。このような材質としては、鋼に代表される金属や、加工が容易で耐磨耗性のある合成樹脂であっても良い。
【実施例２】
【００３７】
次に、第２実施例に係る束Ａの調整部材とベース部材の他の構成について図により説明する。図２は調整部材とベース部材との関係を説明する図である。尚、図に於いて、前述の実施例と同一の部分及び同一の機能を有する部分には同一の符号を付して説明を省略する。
【００３８】
図に示すように、調整部材２の下端部分にはねじ２ｂの外径よりも大きい径を持ち且つ下面が球面状に形成された脚部２ｆが構成されている。脚部２ｆを構成する球面の径は外径の値は特に限定するものではなく、ベース部材３の球面座３ｃや規制部材３ｂに設けた穴３ｄの径に対応させて設定されている。
【００３９】
本実施例では、ベース部材３の球面座３ｃの半径は、調整部材２の脚部２ｆを構成する球面の半径よりも大きい値を持って構成されている。特に、ベース部材３の球面座３ｃは略水平面に等しいような面であっても良く、後述するようにベース部材３が水平面に対し約５度程度傾斜した場合であっても、調整部材２の端面２ｃの一部と接触して安定性を保持し得れば良い。
【００４０】
また、ベース部材３及び調整部材２は、該ベース部材３が水平面から約５度程度傾斜したような場合でも調整部材２の鉛直性を確保し得るように構成されている。このため、ベース部材３の穴３ｄは、該ベース部材３が前記角度傾斜したとき、調整部材２が鉛直性を保持した状態で、内周面が調整部材２のねじ２ｂの基部外周面と当接し得るような寸法を持って形成されている。
【００４１】
従って、床スラブにベース部材３を約５度程度傾斜させるのに相当する不陸や段差が生じており、ベース部材３がこの不陸や段差によって傾斜した場合でも、調整部材２はベース部材３の配置位置で鉛直性を確保することが可能である。
【００４２】
尚、調整部材２の脚部２ｆの上面２ｇは、該調整部材２の軸心２ｈに対して直角面であっても良く、また約５度程度傾斜した傾斜面であっても良い。
【００４３】
次に、調整部材２の下端部の端面を構成する方法について図により説明する。図３は調整部材の端面を構成する際の方法を説明する図である。尚、同図（ａ）は第１実施例に係る溝２ｄを有する調整部材２を構成する方法の例を説明する図であり、（ｂ）は第２実施例に係る脚部２ｆを有する調整部材２を構成する方法の例を説明する図である。
【００４４】
同図（ａ）に示すように、調整部材２の下端側を予め溝２ｅの径に対応する径となるように段部を構成しておき、この段部にベース部材３を構成する規制部材３ｂを嵌め込んだ状態で、段部の末端側をプレス加工により潰すことで球面状の端面２ｃをすることが可能である。
【００４５】
また、同図（ｂ）に示すように、調整部材２をねじ２ｂを構成した本体部２ｉと脚部２ｆとによって構成し、本体部２ｉ及び脚部２ｆに夫々雄ねじ及び雌ねじを形成して互いに締結することで、球面状の端面２ｃを有する脚部２ｆを持った調整部材２を構成することが可能である。この場合、本体２ｉを図に於ける点線のように段部を構成しておくと、この段部によって第１実施例の調整部材２に於ける溝２ｅを構成することが可能である。
【実施例３】
【００４６】
次に、本実施例に係る床下地パネルＢについて図４、５により説明する。図４は床下地パネルＢを床材側から見た斜視図である。図５は床下地パネルＢの断面図である。尚、図に於いて前述の実施例と同一の部分及び同一の機能を有する部分には同一の符号を付して説明を省略する。
【００４７】
図に於いて、床下地パネルＢは、４隅と中央に５個の穴１１ａが形成された矩形の板材である床材１１と、４隅の穴１１ａに夫々取り付けた束Ａと、床材１１の下面１１ｂに取り付けた断熱材２１を有して構成されている。
【００４８】
床材１１の寸法は特に限定するものではないが、建物に設定されたモジュール寸法に対応させて設定することが好ましい。また、床材１１は４隅に取り付けた束Ａを介して支持されるため、隣接する束Ａ間の距離が大きいと床材１１に撓みが生じる虞がある。このため、床材１１の寸法は、モジュール寸法に対応させると共に厚さと束Ａの配置距離を考慮して設定することがより好ましい。
【００４９】
断熱材２１の材質は特に限定するものではなく、高い断熱性を有することが好ましい。このように、良好な断熱性能を発揮し得る断熱材を用いることで、床材１１と床スラブ１２との間に形成される空間１３を小さくすることが可能となり、床材１１の上面に構成される居住空間の高さを確保することが可能となる。
【００５０】
このような断熱材としては、ロックウールやグラスウール等を含む繊維系の断熱材や、硬質ウレタンフォームや押出発泡ポリスチレン或いはフェノール樹脂発泡体等の成形体や発泡体を含む硬質プラスチック系断熱材があり、何れも利用することが可能である。
【００５１】
硬質ウレタンフォームや押出発泡ポリスチレンは、高い硬度を有しており、厚さを選択することによって住宅として充分な断熱性能を発揮することが可能である。しかし、硬質ウレタンフォームは経時的な断熱性能の低下や、火災時に爆燃性を有することや有害ガスを発生するという問題があり、発泡ポリスチレンでは耐薬品性に劣るため、気密処理材が限定されることや燃え易いという問題も有する。
【００５２】
またフェノール樹脂発泡体からなる気密性を有する断熱材としては、既に国際出願（特願２０００−５５８１５８）した技術（ネオマフォーム（登録商標））がある。このフェノール樹脂発泡体からなる断熱材では、従来の押出発泡ポリスチレンや硬質ウレタンフォームの約２／３程度の厚さで略同等の断熱性能を発揮することが可能である。
【００５３】
またフェノール樹脂発泡体は、比較的脆い材料であるため、少なくとも片面にクラフト紙や不織布からなる保護層を設けるのが一般的である。特に、特開平１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度、断熱性共に優れた建築用断熱材として提供されるものである。
【００５４】
断熱材２１として、上記フェノール樹脂発泡体を利用することによって、該フェノール樹脂発泡体の表面に設けた保護層を利用して床材１１の下面１１ｂに接着することが可能となる。従って、断熱材２１を床材１１と略同一平面寸法となるように切断すると共に、該床材１１に設けた穴１１ａと対応する位置に、束Ａの支持部材１のフランジ１ａ、ベース部材３を挿通し得る穴２１ａを形成しておき、この断熱材２１を束Ａを取り付けた床材１１の下面１１ｂに接着することによって床下地パネルＢを構成することが可能である。
【００５５】
そして、上記の如く構成された床下地パネルＢを床スラブ１３に敷き詰め、個々の床下地パネルＢを構成する束Ａの調整部材２を操作して床材１１の高さと水平度を調整し、その後、各調整部材２に対応する支持部材１に止めねじ４を締結して緩みを防止することで、床スラブ１２上に床材１１による床下地を構成すると共に、床材１１と床スラブ１２との間の空間１３に断熱材２１を充填することが可能である。
【００５６】
また、断熱材２１として繊維系の断熱材を利用する場合には、床材１１の下面１１ｂに、例えば袋詰めにした繊維系断熱材、或いは繊維系断熱材を直接添わせて粘着テープ等によって貼り付けることで良い。
【００５７】
尚、本実施例では、床下地パネルＢを、床材１１の下面１１ｂに断熱材２１を取り付けることで断熱機能を発揮させたものを説明したが、断熱材２１に代えて遮音材を取り付けることで、遮音整泡を発揮する床下地パネルを構成することが可能である。このような遮音性を有する床下地パネルは、下階が居室を構成する上階の床スラブ上に設置することで、上階に於ける歩行音や配管中を流通する水音等を遮音して下階の居住性を向上させることが可能である。
【産業上の利用可能性】
【００５８】
本発明に係る束Ａは、床スラブ１２と床材１１との間に形成される空間１３を可及的に小さくすることを要求されるような床に利用して有利である。また床下地パネルＢは、前記の如き要求に加えて断熱性や遮音性が要求される床に利用して有利である。
【図面の簡単な説明】
【００５９】
【図１】束の構成を説明する図である。
【図２】調整部材とベース部材との関係を説明する図である。
【図３】調整部材の端面を構成する際の方法を説明する図である。
【図４】床下地パネルＢを床材側から見た斜視図である。
【図５】床下地パネルＢの断面図である。
【符号の説明】
【００６０】
Ａ                                束
Ｂ                                床下地パネル
１                                支持部材
１ａ                              フランジ
１ｂ                              筒体
１ｃ                              ねじ
２                                調整部材
２ａ                              上端面
２ｂ                              ねじ
２ｃ                              端面
２ｄ                              係合溝
２ｅ                              溝
２ｆ                              脚部
２ｇ                              上面
２ｈ                              軸心
２ｉ                              本体
３                                ベース部材
３ａ                              本体
３ｂ                              規制部材
３ｃ                              球面座
３ｄ                              穴
４                                止めねじ
４ａ                              ねじ
４ｂ                              係合溝
４ｃ                              下端面
１１                              床材
１１ａ                            穴
１１ｂ                            下面
１２                              床スラブ
１３                              空間
２１                              断熱材
【図１】
2007031933.tif 000003
【図２】
2007031933.tif 000004
【図３】
2007031933.tif 000005
【図４】
2007031933.tif 000006
【図５】
2007031933.tif 000007